(57)【要約】【課題】他の機器が持つ情報を脱臭機が共有化することにより、脱臭機のコストを低減させることができると共に、他の機器の情報を脱臭機で活用することにより、より最適な動きができる運転モードを有した脱臭機を利用者に提供する。【解決手段】脱臭機に或る環境内に設置された機器から発信された前記機器自身の動作状態または環境の状態を示す情報信号を受信する受信手段と、受信した前記情報信号に基づき自己の動作状態を変更する制御手段とを設けた構成とする。【選択図】  図１
2004162511.tif 000002
【特許請求の範囲】
【請求項１】
或る環境内に設置された機器から発信された前記機器自身の動作状態または環境の状態を示す情報信号を受信する受信手段と、受信した前記情報信号に基づき自己の動作状態を変更する制御手段とを有して前記環境内に設置されることを特徴とする脱臭機。
【請求項２】
或る環境内に設置された機器に対し、自己の動作状態または環境の状態を示す情報信号を発信する発信手段とを有して、前記環境内に設置されることを特徴とする脱臭機。
【請求項３】
前記或る環境は、トイレ室若しくは前記トイレ室とそれに隣接する部屋とを含む屋内環境であり、前記機器が、前記トイレ室若しくは前記隣接する部屋に随意に設置される局部洗浄、換気、暖房、冷房、芳香、照明、臭気レベル検知、使用状態報知のための装置であることを特徴とする請求項１乃至２記載の脱臭機。
【請求項４】
前記脱臭機が臭気レベル検知装置の臭気レベル情報を受信し、臭気レベルに応じて前記脱臭機の脱臭能力と前記換気装置の脱臭能力の和が変動するように、換気装置の運転情報を脱臭機が受信あるいは脱臭機の運転情報を換気装置へ発信し、自己の運転状態を制御することを特徴とする請求項３記載の脱臭機。
【請求項５】
前記脱臭機が暖房装置の運転情報、あるいは冷房装置の運転情報、あるい芳香装置の運転情報を受信し、暖房装置あるいは冷房装置運転時には換気装置より脱臭機を優先的に運転させ、芳香装置運転時あるいは芳香剤運転停止直後には脱臭機より換気装置を優先的に運転させるように、自己の運転状態を制御することを特徴とする請求項３記載の脱臭機。
【請求項６】
前記脱臭機が局部洗浄装置から受信する情報信号には、下記の(1)〜(7)の情報群
(1)  自己に備えられた各種機能部品の実際の動作状態もしくは予測された動作状態の情報、
(2)  自己に備えられた操作部もしくはリモコン装置への利用者の指示入力情報、
(3)  自己に備えられた臭気又は人体有無を検出するためのセンサーの検出結果、
(4)  自己に備えられた自己の動作状態もしくは使用者の使用状態を検出する検出スイッチの検出結果、
(5)  自己に備えられた計時手段による計時結果、
(6)  自己に備えられた記憶装置に記憶された記憶データ、
(7)  自己に備えられた演算装置による演算結果、
の内から選ばれた１種類以上の情報が含まれる
ことを特徴とする請求項３記載の脱臭機。
【請求項７】
前記脱臭機が局部洗浄装置から受信する情報信号には、下記の(１)〜(３)の情報群
(１)  現在の使用有無、
(２)  過去の使用履歴、
(３)  予測された現在又は将来の使用状態
の内から選ばれた少なくとも1種類の情報が含まれることを特徴とする請求項６記載の脱臭機。
【請求項８】
前記脱臭機が局部洗浄装置から受信する情報信号には、下記の(１)〜(２)の情報群
(１)  着座情報
(２)  局部洗浄情報
の内から選ばれた少なくとも1種類の情報が含まれることを特徴とする請求項６記載の脱臭機。
【請求項９】
前記脱臭機が受信する情報信号には、
(１)  照明の点灯もしくは消灯情報
(２)  ドアの開閉情報
の内から選ばれた少なくとも1種類の情報が含まれることを特徴とする請求項３記載の脱臭機。
【請求項１０】
前記脱臭機は、他の機器からの情報信号に基づいて、自己の動作を開始、変更、停止又は一時停止することを特徴とする請求項３記載の脱臭機。
【請求項１１】
前記脱臭機は、他の機器からの情報信号に基づいて、自己の動作状態を省電力待機状態から通常稼動状態に移行、もしくは通常稼動状態から省電力待機状態に移行することを特徴とする請求項１０記載の脱臭機。
【請求項１２】
前記脱臭機は、局部洗浄装置からの着座あるいは洗浄の情報信号に基づいて、自己の停止時期を前記情報信号の受信時期から遅延させることを特徴とする請求項１０記載の脱臭機。
【請求項１３】
前記脱臭機は、少なくとも送風機と脱臭フィルターから構成され、他の機器からの人体検知情報信号に基づいて、前記送風機の人体検知時の運転が人体非検知時の場合と比べ、弱運転となることを特徴とする請求項１０記載の脱臭機。
【請求項１４】
前記脱臭機は、請求項６記載の情報信号に基づいてトイレの使用時間帯を推定し、前記脱臭機の運転開始または停止を自動でおこなう機能を有したことを特徴とする請求項１０記載の脱臭機。
【請求項１５】
前記脱臭機は、所定日数前の使用履歴データに基づいて、前記脱臭機の運転開始または停止を自動でおこなうことを特徴とする請求項１４記載の脱臭機。
【請求項１６】
前記脱臭機は、
(1)  局部洗浄装置からの情報信号に基づいて自己の動作状態を変更する連動運転モードと、
(2)  局部洗浄装置からの情報信号に基づいては自己の動作状態を変更しない個別運転モードと
の内から所望のモードが選択可能であることを特徴とする請求項3記載の脱臭機。
【請求項１７】
前記脱臭機は、赤外線もしくは他の空中伝播波を用いた無線チャネルを用いて、前記情報信号を授受することを特徴とする請求項１乃至３記載の脱臭機。
【発明の詳細な説明】
【０００１】
【発明の属する技術分野】
本発明は、動作状態または環境の状態を示す情報信号を受信する脱臭機に関する。
【０００２】
本発明は、例えば、トイレ室などを含む屋内環境に、脱臭機と、局部洗浄、暖房、冷房、芳香、照明、使用状態報知等の他の装置を設置し、他の装置からの情報信号を脱臭機が受信することにより脱臭機が自動的に運転することができる。
【０００３】
【従来の技術】
従来、トイレに設置される脱臭機は、活性炭などの脱臭剤と送風機を有したものが主流で運転を開始、停止、変更するごとに操作しなければならないものが多く、操作性が悪かったが、近年人体検知センサを搭載し、トイレ室内へ入退出するごとに自動で運転開始、停止する操作性の向上した脱臭機がある（例えば、特許文献１参照）。
また、局部洗浄装置は、便蓋を自動開閉するために人体検知センサを搭載したもの（例えば、特許文献２参照）や、自動で脱臭運転するために着座センサを搭載したもの（例えば、特許文献３参照）、また、未使用の時間帯に温水ヒータをOFFするような学習機能を有したものがある（例えば、特許文献４参照）。
【０００４】
【特許文献１】
特開平６−３１６９５５号公報（図５）
【特許文献２】
特開平６−１０５７６１号公報（図２）
【特許文献３】
特開平５−２０２５４９号公報（従来の技術）
【特許文献４】
特開２００１−２７９７８５号公報（請求項６）
【特許文献５】
特開平１０−３３１２３７号公報
【０００５】
【発明が解決しようとする課題】
しかしながら、常時臭いトイレ室内において、利用者がトイレ入室時から脱臭機を運転する場合、入室直後は脱臭機が運転していないため臭いという問題があった。また、脱臭機を常時運転させる場合においては、利用者のトイレ入出時間に対しトイレ退出時間が長いため、脱臭しなくてもよい時間においても脱臭運転をおこなっているため、脱臭機の電気代の浪費や活性炭などの脱臭剤短寿命化の問題があった。
【０００６】
また、利用者は、大便時のみ脱臭機を運転したい場合、人体検知機能付脱臭機を用いると小便時にも運転しまう問題がある。また、人体非検知機能付脱臭機を用いると入室ごとに操作せねばならない必要があり、このような場合、機器の動作停止忘れなどがあると、無用な電力を消費してしまう。
【０００７】
更に、これら機器の動作時間を限定するためには、脱臭機と局部洗浄装置等の他の機器が各々独立の機器であるために各々に作動開始や作動停止を制御するためのタイマー装置等を設ける必要があり、各々の機器の構成を複雑化させ、機器コストを上昇させると共に、利用者は双方の設定を行なわなければならないという不具合が発生していた。
【０００８】
これらを解決するために、局部洗浄装置に予め外部ユニット接続用コネクタを設けておき、後付で外部ユニットを接続できるようにしておき、外部ユニットが接続された際には電力及び動作指示信号を外部ユニットに供給する機器が提案されている（例えば特許文献５参照）。
【０００９】
しかし、このような機器では、多くは単体で使用されるであろう局部洗浄装置にも、予め外部ユニットを制御するためのプログラム等を記憶しておく必要があり、更に外部ユニット接続数分のコネクタをも設ける必要があり、局部洗浄装置自体が高価になるという不具合があった。また、このような装置では、どのような外部ユニットが接続されるかを予測して設計する必要があり、可能性を考慮して結果的に余計なものを搭載することが常であった。
【００１０】
従って本発明の目的は、他の機器が持つ情報を共有化することにより、脱臭機のコストを低減させることができると共に、他の機器の情報を脱臭機で活用することにより、より最適な動きができる運転モードを有した脱臭機を利用者に提供することにある。
【００１１】
【課題を解決するための手段】
上記課題を解決するためになされた請求項１記載の発明は、或る環境内に設置された機器から発信された前記機器自身の動作状態または環境の状態を示す情報信号を受信する受信手段と、受信した前記情報信号に基づき自己の動作状態を変更する制御手段とを有して前記環境内に設置される脱臭機であることを特徴とする。
【００１２】
或る環境内に設置された機器から、同じ環境内に脱臭機が設置されているか否かに関知することなしに、自己の状態又は環境の状態を示す情報信号を外部に発信する。一方、脱臭機は、前記機器が発信する情報信号に基づいて自己の動作形態を変更することができる。結果として、脱臭機を前記機器の動作に連携して自動的に動作させることが可能となる。よって、利用者が脱臭機を操作しなければならない頻度が減少する。また、前記機器は、単に情報信号を発すればよいだけであり、前記機器と組み合わされる可能性のある脱臭機の種類を設計段階で想定して、その可能性ある脱臭機の動作を制御するためのプログラム等を前記機器に組込んでおく必要が無い。よって、前記機器を安価に提供することが可能となる。
【００１３】
更に、前記機器に予め脱臭機を制御するためのプログラム等を組込んでおく必要が無いために、前記機器の開発・設計時点においては予測・準備し得ない要望が将来利用者から発生した場合であっても、その要望機能を組み込んだ脱臭機を新たに設計して市場に提供すれば、古い前記機器を有効に生かしたまま、利用者の要望を満たすことが可能である。
【００１４】
請求項２記載の発明は、請求項１記載の発明において、或る環境内に設置された機器に対し、自己の動作状態または環境の状態を示す情報信号を発信する発信手段とを有して、前記環境内に設置されることを特徴とする。
或る環境内に設置された脱臭機から、同じ環境内に他の機器が設置されているか否かに関知することなしに、自己の状態又は環境の状態を示す情報信号を外部に発信する。一方、他の機器は、脱臭機が発信する情報信号に基づいて自己の動作形態を変更することができる。結果として、他の機器を脱臭機の動作に連携して自動的に動作させることが可能となる。よって、利用者が他の機器を操作しなければならない頻度が減少する。また、脱臭機は、単に情報信号を発すればよいだけであり、脱臭機と組み合わされる可能性のある他の機器の種類を設計段階で想定して、その可能性ある他の機器の動作を制御するためのプログラム等を脱臭機に組込んでおく必要が無い。よって、脱臭機を安価に提供することが可能となる。
【００１５】
更に、脱臭機に予め他の機器を制御するためのプログラム等を組込んでおく必要が無いために、脱臭機の開発・設計時点においては予測・準備し得ない要望が将来利用者から発生した場合であっても、その要望機能を組み込んだ他の機器を新たに設計して市場に提供すれば、古い脱臭機を有効に生かしたまま、利用者の要望を満たすことが可能である。
【００１６】請求項２記載の発明は、請求項１記載の発明において、前記或る環境は、トイレ室若しくは前記トイレ室とそれに隣接する部屋とを含む屋内環境であり、前記機器が、前記トイレ室若しくは前記隣接する部屋に随意に設置される局部洗浄、暖房、冷房、芳香、照明、使用状態報知のための装置であることを特徴とする。
請求項３記載の発明は、請求項１乃至２記載の発明において、前記或る環境は、トイレ室若しくは前記トイレ室とそれに隣接する部屋とを含む屋内環境であり、前記機器が、前記トイレ室若しくは前記隣接する部屋に随意に設置される局部洗浄、換気、暖房、冷房、芳香、照明、臭気レベル検知、使用状態報知のための装置であることを特徴とする。
【００１７】
トイレ室に設置する脱臭機は、使用者がトイレを使用する時間帯のみ臭気がなくなるように運転したほうが省エネの面から好ましい。例えば、照明に点灯情報を発信する発信機を、脱臭機に点灯情報を受信する受信機を設け、脱臭機がトイレ照明の点灯と同時に稼動するように設定しておけば、利用者のトイレ入室前に脱臭機を運転することができる。よって、利用者のトイレ入室時にはトイレ内が脱臭されており、快適なトイレ空間を提供することができる。
局部洗浄装置に利用者がおしり洗浄後離座した時にトイレ使用終了情報を発信する発信機を設け、脱臭機にトイレ使用終了情報を受信する受信機を設け、利用者の温水洗浄便座離座後に脱臭機がある一定時間運転し自動的に停止するように設定しておけば、脱臭機の消し忘れを防ぐことができる上、次の利用者のトイレ入室時に脱臭された快適なトイレ空間を提供することができる。
【００１８】
請求項４記載の発明は、前記脱臭機が臭気レベル検知装置の臭気レベル情報を受信し、臭気レベルに応じて前記脱臭機の脱臭能力と前記換気装置の脱臭能力の和が変動するように、換気装置の運転情報を脱臭機が受信あるいは脱臭機の運転情報を換気装置へ発信し、自己の運転状態を制御することを特徴とする。
【００１９】
トイレ室に設置されている部屋全体の脱臭効果のある装置として、脱臭機の他に換気装置がある。脱臭機と換気装置が双方同時に稼動した時に脱臭効率が最も高いが、電力の使用量も最も高くなる。臭気レベルが高い時には脱臭機の換気装置が同時に運転し、臭気レベルがさほど高くない時には脱臭機あるいは換気装置どちらか一方の装置が運転し、臭気がない時には脱臭機と換気装置共に運転すれば効率良く脱臭機と換気装置を運転することができる。
【００２０】
請求項５記載の発明は、請求項３記載の脱臭機において、前記脱臭機が暖房装置の運転情報、あるいは冷房装置の運転情報、あるい芳香装置の運転情報を受信し、暖房装置あるいは冷房装置運転時には換気装置より脱臭機を優先的に運転させ、芳香装置運転時あるいは芳香装置運転直後には脱臭機より換気装置を優先的に運転させるように、自己の運転状態を制御することを特徴とする。
【００２１】
暖房装置あるいは冷房装置運転時に換気装置が稼動すると、温調した空気を排出してしまい、暖冷房効率が低下してしまう。
また、芳香装置稼動中に脱臭機や換気装置が稼動すると芳香剤のにおいを脱臭してしまうことになる。特に芳香剤を脱臭機が脱臭すると脱臭効果の低減や異臭などの原因となりうる。よって、芳香剤のにおいがある時に脱臭する場合には、まず換気装置が稼動したほうが好ましい。
【００２２】
請求項６記載の発明は、請求項３記載の発明において、前記脱臭機が局部洗浄装置から受信する情報信号には、下記の(１)〜(７)の情報群
(１)  自己に備えられた各種機能部品の実際の動作状態もしくは予測された動作状態の情報、
(２)  自己に備えられた操作部もしくはリモコン装置への利用者の指示入力情報、
(３)  自己に備えられた臭気又は人体有無を検出するためのセンサーの検出結果、
(４)  自己に備えられた自己の動作状態もしくは使用者の使用状態を検出する検出スイッチの検出結果、
(５)  自己に備えられた計時手段による計時結果、
(６)  自己に備えられた記憶装置に記憶された記憶データ、
(７)  自己に備えられた演算装置による演算結果、
の内から選ばれた１種類以上の情報が含まれることを特徴とする。
【００２３】
上記(１)の情報を用いる場合、脱臭機と局部洗浄装置とを実際の動作又は予測された動作に連係して動作させることが可能となる。
【００２４】
上記(２)の情報を用いる場合、局部洗浄装置を利用者が操作することで、脱臭機の動作も変えることができる。
【００２５】
上記(３)又は(４)の情報を用いる場合、局部洗浄装置に備えられた臭気、人体検知などのセンサー又は検出スイッチの検出結果を、脱臭機でも利用することが可能となり、脱臭機の構成を簡略化して安価に提供することが可能となる。
【００２６】
上記(５)の情報を用いる場合、局部洗浄装置に備えられた計時手段による計時結果を他の機器すべてが利用することが可能となり、脱臭機の構成を簡略化して安価に提供することが可能となる。また、局部洗浄装置からの計時結果を用いて脱臭機が自己の計時手段の計時結果を修正する構成を採用すれば、局部洗浄装置の計時と脱臭機の計時とを同期させることができる。
【００２７】
上記(６)の情報を用いる場合、局部洗浄装置に備えられた記憶装置に記憶された記憶データを脱臭機が利用することが可能となり、脱臭機の構成を簡略化して安価に提供することが可能となる。
【００２８】
上記(７)の情報を用いる場合、局部洗浄装置に備えられた演算装置による演算結果を脱臭機が利用することが可能となり、脱臭機の構成を簡略化して安価に提供することが可能となる。
【００２９】
請求項７記載の発明は、請求項６記載の発明において、前記脱臭機が局部洗浄装置から受信する情報信号には、下記の(１)〜(３)の情報群
(１)  現在の使用有無、
(２)  過去の使用履歴、
(３)  予測された現在又は将来の使用状態
の内から選ばれた少なくとも1種類の情報が含まれることを特徴とする。
【００３０】
上記(１)の情報を用いる場合、脱臭機が受信する場合は、局部洗浄装置が使用されているか否かに応じて、脱臭機を稼動させたり停止させたりすることが可能となる。よって、利用者が脱臭機を個別に起動したり停止したりする手間を省くことが可能である。
【００３１】
上記(２)の情報を用いる場合、脱臭機が、局部洗浄装置の使用履歴情報を利用することが可能となり、脱臭機に使用履歴を記憶させる必要が無く、機器構成を簡略化することが可能となる。また、脱臭機は、受信した使用履歴情報に基づいて利用者の使用開始時期を予測して、その時期に動作を開始するなどの動作を行うことが可能となる。よって、脱臭機にタイマー機能を搭載し、利用者に動作予約を行わせる必要が無くなり、機器構成を簡略化できると共に、利用者の手間を省くことが可能となる。
【００３２】
上記(３)の情報を利用した場合、脱臭機が、局部洗浄装置の予測した使用状態を利用することが可能となり、脱臭機に予測機能を設ける必要が無く、機器構成を簡略化することが可能となる。
【００３３】
請求項８記載の発明は、請求項６記載の発明において、前記脱臭機が局部洗浄装置から受信する情報信号には、下記の(1)〜(2)の情報群
(１)  着座情報
(２)  局部洗浄情報
の内から選ばれた少なくとも1種類の情報が含まれることを特徴とする。
【００３４】
トイレに存在する代表的な悪臭に大便臭と小便臭があるが、一般的に大便臭は大便時のみに臭気が発生し、小便臭は床面などに染み込んでいるため常時発生する。しかし、小便臭はトイレの築年数や掃除のメンテナンス頻度により、小便臭の臭気を感じないトイレも多数ある。利用者の入退出情報により自動で運転を開始停止する脱臭機を小便臭の臭気を感じないトイレに設置した場合、利用者が小便をおこなう際には臭気が発生しないにもかかわらず脱臭機が稼動してしまう。また、トイレを掃除する際にも同様に脱臭機が稼動する。しかし、本発明のように局部洗浄装置の着座信号や洗浄信号を脱臭機が受信し、大便時のみ脱臭機が運転するように設定しておけば、小便時の脱臭機の稼動を防ぐことができる。
【００３５】
請求項９記載の発明は、請求項３記載の発明において、前記脱臭機が受信する情報信号には、
(１)  照明の点灯もしくは消灯情報
(２)  ドアの開閉情報
の内から選ばれた少なくとも1種類の情報が含まれることを特徴とする。
【００３６】
脱臭機は稼動し始めてから閾値以下に達するまでに時間を要するため、利用者がトイレ室内に入ってから脱臭機が運転すると、運転開始直後は臭気が残存しているため不快に感じてしまう。しかし、本発明の照明の点灯情報やドアの開情報を脱臭機が受信し、照明の点灯、ドアの開と共に脱臭機が運転すれば、利用者のトイレ入室前に脱臭運転をおこなっているためトイレ入室時にはトイレ空間が脱臭されており、利用者の不快感を防ぐことができる。
また、照明から消灯情報あるいはドアから開閉情報を発信させ、その情報を脱臭機が受信し、自動停止するように設定しておけば、脱臭機の消し忘れを防ぐことができる。
【００３７】
請求項１０記載の発明は、請求項３記載の発明において、前記脱臭機は、他の機器からの情報信号に基づいて、自己の動作を開始、変更、停止又は一時停止することを特徴とする。
【００３８】
前記脱臭機は、他の機器からの情報信号に基づいて、自己の動作を開始、変更、停止又は一時停止する。脱臭機は、他の機器の例えば起動、動作変更、停止又は一時停止などに合わせて、自己の起動、動作変更、停止又は一時停止などが行える。また、例えば発信機能付機器の停止に合わせて脱臭機を停止させることにより、利用者の機器停止忘れ防止を行うことも可能となる。
【００３９】
また、例えば発信機能付機器の動作に合わせて脱臭機を起動させることにより、脱臭機を効果的に利用することが可能となる。例えば、発信機能付機器の使用時又は予測された使用時刻に合わせて、脱臭機を起動すれば、脱臭機を効果的に利用できる。
【００４０】
請求項１１記載の発明は、請求項１０記載の発明において、前記脱臭機は、他の機器からの情報信号に基づいて、自己の動作状態を省電力待機状態から通常稼動状態に移行、もしくは通常稼動状態から省電力待機状態に移行することを特徴とする
【００４１】
脱臭機は、他の機器からの情報信号に基づいて、自己の動作状態を省電力待機状態から通常稼動状態に移行、もしくは通常稼動状態から省電力待機状態に移行する。よって、他の機器の状態に応じて必要なときには自動的に稼動し、不要な時には自動的に待機状態になって無用な電力消費を無くす、経済的な脱臭機を提供することが可能となる。
【００４２】
請求項１２記載の発明は、請求項１０記載の発明において、前記脱臭機は、局部洗浄装置からの着座あるいは洗浄の情報信号に基づいて、自己の停止時期を前記情報信号の受信時期から遅延させることを特徴とする。
【００４３】
利用者がトイレで大便をおこなう際に、発生した大便臭が一旦トイレ室内に拡散した場合、脱臭機が局部洗浄装置からの離座あるいは洗浄停止の情報信号を受信すると同時に停止するとトイレ室内を完全に脱臭できない。しかし、本発明のように局部洗浄装置からの離座あるいは洗浄停止からある一定時間脱臭機が稼動し停止すれば、トイレ室内を確実に脱臭することが可能となる。
【００４４】
請求項１３記載の発明は、請求項１０記載の発明において、前記脱臭機は、少なくとも送風機と脱臭フィルターから構成され、他の機器からの人体検知情報信号に基づいて、前記送風機の人体検知時の運転が人体非検知時の場合と比べ、弱運転となることを特徴とする。
【００４５】
脱臭機は一般的に送風機で一旦臭気を吸引し、脱臭機に組み込まれている吸着剤や触媒で吸着分解し脱臭する。このような脱臭機を用いて室内全体を脱臭する場合、吸引風量の多いほど脱臭速度が速く脱臭効果も高いが、騒音も大きくなる。また、利用者が狭いトイレ室内にいる時に、風量が大きい脱臭機を稼動させると、風を感じ不快に感じられるケースもある。このような場合、本発明のように利用者が室内に存在する時に脱臭機の風量を少なくすることにより騒音、脱臭機による風の不快感を低減することができると共に、利用者が室外退出と動じに利用者起因の悪臭を急速に脱臭することが可能となり、次の利用者が続けて使用する場合においても脱臭されたトイレ空間を提供することができる。
【００４６】
請求項１４記載の発明は、請求項１０記載の発明において、前記脱臭機は、請求項６記載の情報信号に基づいてトイレの使用時間帯を推定し、前記脱臭機の運転開始または停止を自動でおこなう機能を有したことを特徴とする。
【００４７】
脱臭機は、局部洗浄装置のタイマー運転時刻情報を受信しタイマー運転をおこなうように設定することにより、脱臭機のタイマー機能を省くことができる上、局部洗浄装置のタイマー設定のみで局部洗浄装置と脱臭機のタイマー設定が可能となるため各々のタイマー設定操作を省くこともできる。また、局部洗浄装置からの情報が、使用履歴情報の場合はその情報を元に脱臭機がトイレの使用時間帯を推定し、脱臭機が運転開始時刻と停止時刻を自動的に設定する機能を設ければ、都度タイマー運転時刻の変更する必要がなくなる。
【００４８】
請求項１５記載の発明は、請求項１４記載の発明において、前記脱臭機は、所定日数前の使用履歴データに基づいて、前記脱臭機の運転開始または停止を自動でおこなうことを特徴とする。
【００４９】
使用者が朝起きる直前に脱臭機を運転したい時にタイマー設定をおこなうが、日により稼動したい時間が異なる場合は、都度タイマー設定をおこなわなければならない。例えば、使用者が平日と土曜日と日曜日の早朝のタイマー運転時間を変更したい場合などは、その前日にタイマー設定をおこなわなければならなかった。しかし、本発明の所定日数を７日に設定することにより、タイマー設定をその都度おこなう必要がなくなる。
【００５０】
請求項１６記載の発明は、請求項６記載の脱臭機において、前記脱臭機は、
(１)  局部洗浄装置からの情報信号に基づいて自己の動作状態を変更する連動運転モードと、
(２)  局部洗浄装置からの情報信号に基づいては自己の動作状態を変更しない個別運転モードと
の内から所望のモードが選択可能であることを特徴とする。
【００５１】
利用者が任意に、脱臭機を、局部洗浄装置と連携せずに、完全に独自で動作する機器として利用することが可能となる。
【００５２】
請求項１７記載の発明は、請求項１乃至３記載の発明において、前記脱臭機は、赤外線もしくは他の空中伝播波を用いた無線チャネルを用いて、前記情報信号を授受することを特徴とする。
【００５３】
脱臭機は、商用電源を供給する電力線、電力線とは別の信号線、又は、赤外線もしくは他の空中伝播波を用いた無線チャネルを用いて、情報信号を授受する。信号線で情報信号を伝達する場合には、信号伝達の確実性が高い。また、信号線の接続をピンジャック構造等にして、適宜に信号線を切断したり接続したりすることで、或る機器をシステムから外して独立で動作させたり、再びシステムに組み入れたりすることができる。また、商用電源の電力線で信号伝達をする場合には、商用電源を用いる機器間には、特別の信号線を配線する必要が無い。また、無線チャンネルを用いる場合には、機器間の配線が全く必要が無い。特に、赤外線チャネルを用いると、他の無線方法に比べると、安価に発信器及び受信器を構成することが可能となる。
【００５４】
【発明の実施の形態】
以下に本発明の実施の形態を、添付図面により詳細に説明する。
【００５５】
（全体構成…トイレ室内の例）
図１にトイレ室内に設置される脱臭機の設置例の外観斜視図を示す。図において、Ａは発信機能付機器である局部洗浄装置、Ｂは発信機能付機器である暖冷房装置、Ｃは受信機能付機器である脱臭機、Ｄは発信機能付機器である芳香装置、Ｅは発信機能付機器である照明装置である。図示するように局部洗浄装置Ａは便器上に設置され、暖冷房装置Ｂ、脱臭機Ｃ、芳香装置Ｄは壁面に沿って設置され、照明装置Ｅは天井に設置される。
【００５６】
脱臭機Ｃは、いずれも、他の機器から独立した機器として動作して、その機器本来の使用目的を達成し得るものである。すなわち、脱臭機Ｃは、いずれも、他の機器の存在を前提にすることなしに（つまり、脱臭機単独で設置されていても、他の機器と一緒に設置されていても、何れの場合にも）、脱臭機本来の独自の使用目的を達成するよう動作するものである。また、脱臭機Ｂは、いずれも、他の機器から制御を受けて動作をするものではなく、自機の動作はあくまでも自機で自律的に制御するという自律制御型の機器である。
【００５７】
さて、本実施形態では、例えば、局部洗浄装置Ａ、暖冷房装置Ｂ、芳香装置Ｄ、照明装置Ｅは発信機能を有しており、各機器の状態又はトイレ室の状態などを示す状態情報をトイレ室内空間などの外部に発信することができる。また、例えば、脱臭機Ｃは、受信機能を有していて、他の発信機能付機器（例えば、局部洗浄装置Ａなど）から発された状態情報を自主的にキャッチし、その状態情報に応じて自律的に自機の動作状態を制御する。それにより、脱臭機Ｃの動作状態が、より好ましく制御されることになる。
【００５８】
ここで、注目すべき点は、脱臭機Ｃは、あくまでも「自律的」に自機の動作状態を制御しているのであって、発信機能付機器（例えば、局部洗浄装置Ａなど）からの指示、命令又はリクエストに従っているのではないということである。すなわち、脱臭機Ｃは、発信機能付機器からの状態情報（これには、例えば、人体検知結果、使用頻度予測など様々な種類の状態情報がある）の内のどれを利用しどれを無視するか、及び、それを利用してどの動作をどのように制御するかということを、自機自身で自律的に決定するのである。一方、発信機能付機器（例えば、局部洗浄装置Ａなど）は、何の動作を行なえというような指示、命令又はリクエストを他の受信機能付機器に与えることはなく、単に、自機で把握された自機又はトイレ室の状態を示す情報を周囲へ放っているだけ過ぎず、その状態情報が周囲でどのように利用されたかという点については一切関知しない。
【００５９】
図２に、図１で示した機器システムの構成ブロック図を示す。
【００６０】
局部洗浄装置の送信部から使用終了情報が、照明装置の送信部から点灯情報が発信され、脱臭機の受信部に受信される。脱臭機は照明装置の点灯情報と共に運転を開始し、局部洗浄装置の使用終了情報と共に運転を停止する。
また、暖冷房装置と芳香装置の送信部から運転情報が発信され、脱臭機の受信部に受信される。脱臭機は暖冷房装置の運転時には運転をおこない、また、芳香装置の運転時には運転を停止する。
【００６１】
ここで、局部洗浄装置、暖冷房装置、芳香装置、照明装置などの発信機能付機器は、状態情報の宛先として特定の受信機能付機器を指定することなく（すなわち、トイレ室に何の受信機能付機器が存在しているか、どの受信機能付機器がその状態情報を受信すべきか、ということは一切に認識せずに）、状態情報をトイレ室空間に発信する。要するに、発信機能付機器は、状態情報をトイレ室に「放送」するのである。発信機能付機器は、上述したように、その放送された状態情報が周囲の他の機器に受信されたか否か、及び、その状態情報に応答して周囲の他の機器が何らかの動作を行なうか否といった、他の機器の存在や動作に関しては、全く関知しない。つまり、発信機能付機器は、他の装置を「制御」することはなく、単に、状態情報を放送するだけである。発信機能付機器から「放送」された状態情報をどのように取り扱うか（例えば、無視するか利用するか、何の動作にどのように利用するか）は、専ら、受信機能付機器が自律的に決めるのである。このような発信機能付機器と受信機能付機器との間の連携方法は、従来の制御装置と被制御装置間や、サーバとクライアント間や、ホストと周辺機器間の連携方法のように、一方が他方に対して指示、命令又はリクエストを出して、それに従って他方が自機の動作を変えるという方法とは区別される、特別の連携方法である。
【００６２】
ここで、発信機能付機器は、状態情報の宛先として脱臭機を指定することなく（すなわち、トイレ室に何の受信機能付機器が存在しているか、どの受信機能付機器がその状態情報を受信すべきか、ということは一切に認識せずに）、状態情報をトイレ室空間に発信する。要するに、発信機能付機器は、状態情報をトイレ室に「放送」するのである。発信機能付機器は、上述したように、その放送された状態情報が脱臭機に受信されたか否か、及び、その状態情報に応答して脱臭機が何らかの動作を行なうか否といった、脱臭機の機器の存在や動作に関しては、全く関知しない。つまり、発信機能付機器は、脱臭機を「制御」することはなく、単に、状態情報を放送するだけである。発信機能付機器から「放送」された状態情報をどのように取り扱うか（例えば、無視するか利用するか、何の動作にどのように利用するか）は、専ら、脱臭機の受信機能付機器が自律的に決めるのである。
【００６３】
また、脱臭機には夫々それ自身の操作部も備えられており、受信情報に基づいて自己の動作形態を変更して動作する他に、自己の操作部への入力に従って動作することも可能である。
【００６４】
図３は本発明の一実施形態に係る光触媒脱臭装置の構成を示した図である。
【００６５】
光触媒脱臭装置２０１は、空気中の臭気物質を吸着・分解する光触媒エレメント２１１、光触媒エレメント２１１に含有される光触媒を励起するための光源２１２、光源の点灯状態を調整する光源制御部２７１、光源制御部２７１による光源２１２の点灯状態を制御する運転制御部２７２、運転制御部に接続された、光触媒エレメント２１１を通過する気流の風速を計測する風速センサー２７３、装置周囲の照度を計測する照度センサー２７４、運転選択スイッチ２７５、および、脱臭装置への給電を行う給電線を接続する給電接続部２７６から構成される。
【００６６】
薄型の長方体状を成す脱臭装置２０１の最大面積を有する対向する２面に、各々開口部が設けられており、臭気物質を含む気流を一方の開口部から他方の開口部に向けて通過させることにより、脱臭装置２０１の光触媒エレメント２１１中を気流が通過し、気流中の臭気物質が光触媒エレメント２１１に含有される光触媒乃至は吸着剤に吸着される。光触媒を励起するための光源２１２を点灯することにより、光触媒乃至は吸着剤に吸着された臭気物質が分解され、無臭化される。
【００６７】
図４は、本実施形態の光触媒脱臭装置の光触媒エレメント２１１と光源２１２の構成を示した図である。
【００６８】
光触媒エレメント２１１は、無機質繊維シートの表裏両面に光触媒および吸着剤が担持された触媒シート２１４を一定の間隔を隔てて積層し、触媒シート固定手段２１３により固定された構造を有する。
【００６９】
触媒シート２１４には切欠部２１５が設けられており、この切欠部２１５に光触媒励起用光源２１２ａ〜２１２ｃとして、棒状の直径φ４ｍｍ、発光ピーク波長３８０ｎｍの冷陰極型蛍光ランプが３本、配置されている。
【００７０】
光触媒エレメント２１１を上記の構成とすることによって、触媒シート２１４の全面に、光触媒励起用光源２１２ａ〜２１２ｃにより波長４００ｎｍ以下の光を照射することが可能となる。
【００７１】
触媒シート２１４に担持された光触媒に波長４００ｎｍ以下の光を照射することによって、光触媒表面に正孔が発生し（励起され）、光触媒表面の吸着水から水酸基ラジカルを生成する。生成された水酸基ラジカルにより、光触媒乃至は吸着剤に吸着された臭気物質を酸化、分解し、臭気物質を無臭化することが可能となる。
【００７２】
局部洗浄装置、便器装置の脱臭機能部に一般的に利用されている酸化マンガンを主成分とした脱臭触媒は、トイレ空間で主に糞便から発生する硫化水素、メチルメルカプタン、等の硫黄系臭気物質の無臭化に対しては実用上充分な効果を発現するが、トイレ空間で主に尿から発生するアンモニア、トリメチルアミン、等の窒素系臭気物質に対しては充分な効果を発現しない。
【００７３】
本発明の脱臭機２８０では、脱臭機能部に光触媒を用いているので、光触媒により生成する水酸基ラジカルによってアンモニア、トリメチルアミン、等の窒素系臭気物質を脱臭することが可能となる。
【００７４】
本実施形態の光触媒脱臭装置の触媒シート２１４には、光触媒としてアナタース型の結晶構造を有する酸化チタン（ＴｉＯ2）が、吸着剤として粒状活性炭が、混合して担持されているが、光触媒は酸化チタンに限定されるものではなく、酸化タングステン（ＷＯ3）、酸化亜鉛（ＺｎＯ）、などを用いることも可能である。また、吸着剤も粒状活性炭に限定されるものではなく、各種のゼオライト、粘土系鉱物、などを用いることも可能である。
【００７５】
脱臭機２８０は、送風機２３０により、室内の空気をスリット状に開口した吸入口２６０より吸入し、吸入口同様にスリット状に開口した送風口２５０より室内に送風することにより、室内の脱臭を行う。送風機２３０は、脱臭機の運転制御部２２１によりその動作を制御される。
【００７６】
図５は、本実施形態の光触媒脱臭装置の運転フローチャートである。
【００７７】
本実施形態の光触媒脱臭装置２０１は電源線より給電を受けると運転を開始する（Step.111）。脱臭装置２０１の運転制御部２７２に接続された、運転選択スイッチ２７５によって自動運転モードが選択されると、運転制御部２７１は自動運転を開始する（Step.211）。
【００７８】
運転制御部２７２に接続された赤外線受光素子２７７２７７により他の機器から発信された人体検知信号を受信すると、運転制御部２７２は脱臭装置２０１の運転（光源制御部２７１による光源２１２の点灯）を開始する（Step.311）。
【００７９】
運転制御部２７２に接続された、照度センサー２７４により脱臭装置２０１周辺の照度が所定の値（２ルクス）未満であると、運転制御部２７２は光源制御部２７１により光源２１２の点灯照度を低下させる、漏光抑制運転を実行する（Step.411、Step.521）。漏光抑制運転に際して光源制御部２７１は、脱臭装置２０１の３本の光源２１２ａ、２１２ｂ、２１２ｃの内、２１２ａ、２１２ｃの2本を点灯する。また、点灯時の光源電流は通常運転時の８０％に抑制される。
【００８０】
通常運転時には、漏光抑制運転と同様に２１２ａ、２１２ｃの２本を点灯するが、漏光抑制運転時には点灯電流が８０％に抑制されているため、光源輝度が低下し、通常運転に比べて光源の点灯照度が低下する。このため、脱臭機２８０のスリット状の吸入口２６０を透過して漏光する光源光を低減することが可能となり、吸入口２６０周辺が青白く点灯することによる利用者への不快感を低減することができる。
【００８１】
尚、フローチャート中のStep.411への入力信号としては、本実施形態の脱臭装置２０１では照度センサー２７４による入力信号を用いたが、時計タイマーによる所定時刻を漏光抑制運転開始の入力信号として用いても良い。
【００８２】
運転制御部２７２に接続された、照度センサー２７４により脱臭装置２０１周辺の照度が所定の値（２ルクス）以上であると、運転制御部２７２は漏光抑制運転を終了（Step.621）し、光源制御部２７１により光源２１２の点灯照度を増大させる、回復運転を実行する（Step.721）。回復運転に際して光源制御部２７１は、脱臭装置２０１の３本の光源２１２ａ、２１２ｂ、２１２ｃ全てを点灯する。また、点灯時の光源電流は通常運転時の１２０％に増大される。
【００８３】
通常運転時に比べて点灯電流が１２０％に増大されることにより、光源輝度が増大すると共に、点灯本数が増加しているため、通常運転に比べて光源の点灯照度が増大し、脱臭装置２０１の光触媒エレメント２１１への点灯光照射強度が増大され、光触媒の臭気物質分解能力が増大する。このため、漏光抑制運転時に光触媒エレメント２１１に吸着、蓄積された臭気物質を分解することが可能となる。
【００８４】
回復運転は、運転制御部２７２に内蔵された計時タイマーが、回復運転開始後３０分経過を計時すると回復運転は終了される（Step.821）。
【００８５】
フローチャート中のStep.411において、照度センサー２７４により脱臭装置２０１周辺の照度が所定の値（２ルクス）以上であり、かつ風速センサー２７３により光触媒エレメント２１１を通過する気流の風速が０．８m／秒以上１．５m／秒未満であることが検知されると、通常運転が実行される（Step.411、Step.511、Step.611）。
【００８６】
通常運転に際して、光源制御部２７１は脱臭装置２０１の３本の光源２１２ａ、２１２ｂ、２１２ｃの内、２１２a、２１２cの２本を点灯する。
【００８７】
フローチャート中のStep.511において、風速センサー２７３により光触媒エレメント２１１を通過する気流の風速が０．８m／秒以上１．５m／秒未満、以外であることが検知されると、臭気物質量対応運転が実行される（Step.511、Step.631）。
【００８８】
臭気物質量対応運転開始に際し、風速センサー２７３により光触媒エレメント２１１を通過する気流の風速が１．５m／秒以上であることが検知されると、高臭気対応運転が実行される（Step.731、Step.831）。
【００８９】
高臭気対応運転に際して光源制御部２７１は、脱臭装置２０１の３本の光源２１２ａ、２１２ｂ、２１２ｃ全てを点灯する。
【００９０】
通常運転時に比べて光源の点灯本数が増加しているため、通常運転に比べて光源の点灯照度が増大し、脱臭装置２０１の光触媒エレメント２１１への点灯光照射強度が増大され、光触媒の臭気物質分解能力が増大する。このため、光触媒エレメント２１１に速い速度で臭気物質が供給されても臭気物質を分解することが可能となる。
【００９１】
臭気物質量対応運転開始に際し、風速センサー２７３により光触媒エレメント２１１を通過する気流の風速が０．８m／秒未満であることが検知されると、低臭気対応運転が実行される（Step.731、Step.832）。
【００９２】
低臭気対応運転に際して光源制御部２７１は、脱臭装置２０１の３本の光源２１２ａ、２１２ｂ、２１２ｃの内、２１２ａ、２１２ｃの2本を点灯する。また、点灯時の光源電流は通常運転時の８０％に抑制される。
【００９３】
通常運転時に比べて点灯電流が８０％に抑制されることにより、光源輝度が低下しているため、通常運転に比べて光源の点灯照度が低下し、脱臭装置２０１の光触媒エレメント２１１への点灯光照射強度が低下され、光触媒の臭気物質分解能力が低下するが、光触媒エレメント２１１を通過する気流風速が遅く、光触媒エレメント２１１への臭気物質の供給速度が低いため、臭気物質分解能力を低下させても問題とはならない。光源の点灯照度を低下することにより、装置の消費電力を低下することが可能となると共に、光源の寿命を延長することも可能となる。
【００９４】
尚、フローチャート中のStep.311への入力信号としては、本実施形態の脱臭装置２０１では赤外線受光素子２７７による入力信号（人体がいるときに臭気が発生するため）を用いたが、脱臭装置２０１の周辺の臭気を計測する臭気センサーによる入力信号を用いても良い。また、人体検知情報ではなく、使用履歴即ち予測データを赤外線受光素子２７７を介して入力し、そのデータに基づいて動作させるようにしても良い。更には局部洗浄装置の脱臭ユニットの動作信号を赤外線受光素子２７７を介して入力し、その入力信号を用いるようにしても良い。
【００９５】
図６は、本発明の一実施形態に係る脱臭機の操作部を示した図である。
【００９６】
電源スイッチ１００１により機器への電源入遮断が行われ、運転選択スイッチ１００２により、他の機器が発信した情報に基づいて自己の動作形態を変更する「連動運転モード」と、他の機器の情報によらず自己の操作部への利用者の指示入力に基づいて動作する「個別運転モード」とを選択することが可能であり、「連動運転モード」が選択されている場合は、ＬＥＤから成る連動運転選択表示部１００７が点灯し、利用者に選択モードを知らせることができる。
【００９７】
運転選択スイッチ１００２により「個別運転モード」が選択されている場合には、脱臭機の動作指示は、脱臭運転選択スイッチ１００３とにより行う。
【００９８】
脱臭運転選択スイッチ１００３は循環式の選択スイッチで、スイッチを押す毎に、「脱臭切」→「脱臭弱」→「脱臭強」→「脱臭切」→…の順に脱臭運転を選択することが可能である。「脱臭弱」あるいは「脱臭強」が選択された場合には、脱臭機の脱臭機能部に備えられた光触媒励起用紫外線ランプが点灯され、「脱臭切」が選択された場合には点灯されない。
【００９９】
図７に、本発明の一実施形態に係る脱臭機を含む機器システムの運転フローチャートを示す。システムは、図１および図２に示した発明と同一の構成を有する。尚、機器間の情報伝達は赤外線を用いて成されている。
【０１００】
本実施形態の局部洗浄装置、脱臭機、照明装置から構成される機器システムの、代表的な一連の連携動作をフローチャートに基づいて説明する。
【０１０１】
脱臭機は、電源投入後、一定時間（一時間）以上、操作部およびリモコンへの入力乃至は他の機器からの情報送信が無い場合には、操作部のＬＥＤ表示部などを消灯する、省電力待機状態へ移行する。
【０１０２】
脱臭機は、選択スイッチにより「連動運転モード」が選択されている。
【０１０３】
局部洗浄装置は、自分の使用履歴から推算した使用開始時刻の１時間前に、「使用開始予告信号」を発信し、省電力待機状態を解除する。
【０１０４】
脱臭機は、「使用開始予告信号」を受信して、省電力待機状態を解除して、強モード運転に移行する。
【０１０５】
このように、他の機器の使用開始予測データ、並びに計時結果を共有することによって、利用者の使用開始前に必要な機器を動作させることが可能となる。
【０１０６】
次に、室内に利用者が入る前に、利用者が照明装置を点灯すると、「使用予告信号」を発信しする。
【０１０７】
脱臭機は、「使用予告信号」を受信して、弱モード脱臭運転に移行する。
【０１０８】
利用者が入室後、局部洗浄装置を利用し利用者が便座から立ち上がると、局部洗浄装置に備えられた着座センサが、人体検知状態から不検知状態に移行し、「使用終了信号」を発信し、脱臭機は強モード脱臭運転に移行し、１０分間運転をおこない停止し省電力状態となる。
【０１０９】
このように、他の機器のセンサー検出値や運転情報を共有することによって、脱臭機を都度操作する必要がなくなる上、自動的に停止乃至は省電力待機に移行することが可能となるので、利用者の消し忘れなど乃至は消し忘れによる無用な電力の消費も防止することが可能となる。
【０１１０】
図８は、本発明の一実施形態にかかる脱臭機を含む別の機器システムのフローチャートである。システムは、図１および図２に示した発明と同一の構成を有する。尚、機器間の情報伝達は赤外線を用いて成されている。
【０１１１】
本実施形態の暖冷房装置、脱臭機、芳香装置から構成される機器システムの、代表的な一連の連携動作をフローチャートに基づいて説明する。
【０１１２】
脱臭機は、電源投入後、一定時間（一時間）以上、操作部およびリモコンへの入力乃至は他の機器からの情報送信が無い場合には、操作部のＬＥＤ表示部などを消灯する、省電力待機状態へ移行する。
【０１１３】
脱臭機は、選択スイッチにより「連動運転モード」が選択されている。
【０１１４】
暖冷房装置は、指定時刻にタイマー運転でき、タイマー運転開始時刻に暖冷房装置は運転を開始すると共に「運転開始信号」を発信する。
【０１１５】
脱臭機は、暖冷房装置の「運転開始信号」を受信して、省電力待機状態を解除して、強モード運転に移行する。
【０１１６】
このように、一つの機器のタイマー運転設定をおこなうことによって、脱臭機も同時に動作させることが可能となり、各機器のタイマー設定をおこなう必要がなくなる。
【０１１７】
次に、利用者が入室後、芳香装置を運転させると共に「運転開始信号」を発信する。
【０１１８】
脱臭機は、芳香装置の「運転信号」を受信後停止し、利用者が芳香装置を停止してから１０分後に、暖冷房装置がタイマー運転をおこなっている場合、暖冷房装置は「運転信号」を発信し、脱臭機は暖冷房装置の「運転信号」を受信し強モード運転へ移行する。
【０１１９】
暖冷房装置のタイマー運転終了時刻に暖冷房装置は運転を停止すると共に「運転停止信号」を発信する。
【０１２０】
脱臭機は、暖冷房装置の「運転停止信号」を受信して、停止し省電力待機状態に移行する。
【０１２１】
このように、他の機器の運転状態情報を共有することによって、脱臭機を都度操作する必要がなくなる上、自動的に停止乃至は省電力待機に移行することが可能となるので、利用者の消し忘れなど乃至は消し忘れによる無用な電力の消費も防止することが可能となる。また、芳香装置と脱臭機同時運転による芳香剤の脱臭と脱臭機に搭載したフィルターへの弊害を防ぐことが可能となる。
【０１２２】
【発明の効果】
以上述べてきた通り本発明によれば、他の機器が持つ情報を脱臭機が共有化することで、脱臭機のコストを低減させることができると共に、他の機器の情報を脱臭機が活用することにより、より最適な動きができる運転モードを有した脱臭機を利用者に提供することができる。
【図面の簡単な説明】
【図１】トイレ室内に設置される発信機能付局部洗浄装置及び受信機能付脱臭機の設置例の外観斜視図である。
【図２】発信機能付局部洗浄装置及び受信機能付脱臭機の一例を示す構成ブロック図である。
【図３】本発明の一実施形態に係る光触媒脱臭装置の構成を示した図である。
【図４】本実施形態の光触媒脱臭装置の光触媒エレメント２１１と光源２１２の構成を示した図である。
【図５】本実施形態の光触媒脱臭装置の運転フローチャートである。
【図６】本発明の一実施形態に係る脱臭機の操作部を示した図である。
【図７】本発明の一実施形態に係る脱臭機とその他の機器のフローチャートである。
【図８】本発明の一実施形態に係る別の脱臭機とその他の機器のフローチャートである。
【符号の説明】
Ａ…局部洗浄装置
Ｂ…暖冷房装置
Ｃ…脱臭機
Ｄ…芳香装置
Ｅ…照明装置
２０１…光触媒脱臭装置
２１１…光触媒エレメント
２１２…光源、
２１２ａ，２１２ｂ，２１２ｃ…光触媒励起用光源、
２１３…触媒シート固定手段
２１４…触媒シート
２１５…切欠部
２２１…運転制御部
２３０…送風機
２５０…送風口
２６０…吸入口
２７１…光源制御部
２７２…運転制御部
２７３…風速センサー
２７４…照度センサー
２７５…運転選択スイッチ
２７６…給電接続部
２７７…赤外線受光素子
２８０…脱臭機
【図１】
2004162511.tif 000003
【図２】
2004162511.tif 000004
【図３】
2004162511.tif 000005
【図４】
2004162511.tif 000006
【図５】
2004162511.tif 000007
【図６】
2004162511.tif 000008
【図７】
2004162511.tif 000009
【図８】
2004162511.tif 000010